(57)【要約】【課題】この発明は、適度な弾力性と多通気性による爽快な当て心地と、褥瘡防止等の医療目的を達成する多通気性マットおよび多通気性クッションの提供。【解決手段】その側壁面部の一部または全周面の所要面を少なくともネット生地により構成される多通気表装布収容体と、その多通気表装布収容体に収容される、立体線状空隙構造体単独、立体繊維単独またはそれらと、吸湿剤包含不織布、弾性発泡体から選択された一つあるいはその全部を含む複数の組み合わせで構成される多通気性クッション材とからなる多通気性クッション。【選択図】　　　　図４
2004105314.tif 000002
【特許請求の範囲】
【請求項１】
その側壁面部の一部または全周面の所要面を少なくともネット生地により構成される多通気表装布収容体と、その多通気表装布収容体に収容される、立体線状空隙構造体単独、立体繊維単独またはそれらと、吸湿剤包含不織布、弾性発泡体から選択された一つあるいはその全部を含む複数の組み合わせで構成される多通気性クッション材とからなる多通気性クッション。
【発明の詳細な説明】
【０００１】
【発明が属する技術分野】
この発明は、クッション、特に、適度な弾力性と、多通気性とによる爽快な当て心地と、褥瘡防止等の医療目的を達成する多通気性クッションに関するものである。
【０００２】
【従来の技術】
複数の部屋を持つエアマットをコンピューターで時間間隔を制御して交互に膨らませたり縮小させたりしてマットに当たる皮膚の圧接時間を短く、血行を悪くさせないようにして褥瘡を防ごうとするマットがある。
【０００３】
また、身動きができない病人等の為にベッドが間欠的に傾斜角度を変化させて皮膚の血行障害を起こさないようにするベッドもある。
【０００４】
さらにまた、低反発弾性ウレタン、多くの点で支えられるように加工した発泡ウレタン（特開平１０−１４６２４７号を参照）等を用いて体重を分散させて支え、血行障害を軽くしようとするものもある。
【０００５】
クッション内にこもる湿気をクッション外に排出する為にハトメを付けたクッションやマットもある。
【０００６】
車椅子では座面が臀部の多くに接し、通気性が悪く夏場には蒸れが生じる。このようなことは事務椅子、自動車、ベビーカー、ベビーベッド、ベッド、布団、座布団等でも生じている。
【０００７】
従来のクッションにおいて、中綿は天然あるいは合成繊維の綿であったり、発泡弾性ウレタンであったりした。これらの中綿を使用したクッションは、通気性が良いとは言えなかった。
【０００８】
【発明が解決しようとする課題】
この発明は、クッション内にこもる湿気を素早くクッション外に排出して通気性を良くして蒸れをなくし、体重を分散して支えることができるクッションを提供することである。
【０００９】
【課題を解決するための手段】
この発明は、通気性、透湿性のある布で縫製した多通気性表装布収容体に、通気性を良くするため、ネット状の通気性布を帯状に縫い込んで側壁面の一部または全周面の所要面を構成し、その内部に収容されるクッション材に立体線状空隙構造体や前記立体繊維を用いて空隙を多くし、通気性を良くしてあることを特徴とする多通気性クッションにある。
【００１０】
前記立体線状空隙構造体に吸湿剤を包含した不織布（例えば、富士シリア化学株式会社製造のＷＴマット　アクアドライポリマー）を巻いたり、挟み込んだりしたものを用いたことを特徴とする。
【００１１】
【発明の実施の形態】
この発明の多通気性クッションを第１実施例の多通気性クッション１を図１乃至図６により説明すると、第１実施例の多通気性クッション１は、多通気性表装布収容体２と、その多通気性表装布収容体２に収容される多通気性クッション材３から構成される。
【００１２】
前記多通気性表装布収容体２は、図２および図５に示すように、通気性、透湿性のある通気性布４（例えば、株式会社テイジンのダブルラッセルＴＹ００１）で、袋体に縫製した多通気性表装布収容体２に、さらに、通気性を良くするためのネット状のネット状通気性布５を帯状に縫い込んで側壁面の周囲をめぐらして構成している。
【００１３】
前記多通気性クッション材３は、図３に示すように、立体線状空隙構造体６や立体繊維７を用いて空隙を多くし、通気性を良くしてある。さらに、前記立体立体線状空隙構造体６に吸湿剤を包含した不織布８（例えば、富士シリア化学株式会社製造のＷＴマット　アクアドライポリマー）を巻いたり、挟み込んだりして構成して用いてもよいものである。
【００１４】
図６は、多通気性クッション材３の構成を示した図であり、適度な弾性を持つ前記立体線状空隙構造体６（例えば、特願２００１−１４５１１５号を参照）を用いており、さらに、前記立体繊維７や前記吸湿剤（例えば、脱臭効果もあるシリカゲル）を包含した不織布８と発泡弾性ウレタン（図示せず）を組み合わせ空調を確保したものである。前記立体線状空隙構造体６または前記立体繊維７の単独でも良い。
【００１５】
前記立体線状空隙構造体６は８０％近い空隙を有し、前記第１実施例の多通気性クッション１内に空気を多く蓄える役目と荷重分散性を高める役目をしている。
【００１６】
前記立体繊維７は、座ったときの臀部や寝たときにおける身体の体圧接触面を拡大して圧接感覚を柔らげる役目と空隙を保つ役目をしているのである。
【００１７】
前記吸湿剤を包含した不織布８は多通気性クッション１に収容し、外へ排出されない湿気を吸収し、後に放湿することができるものである。
【００１８】
図４は、前記多通気性表装布収容体２を示した図であり、その側壁面にあたる部位には通気性を良くするためネット状のネット状通気性布５を縫い込んである。そのため従来のものに比べて通気性が大幅に改善されているものである。さらに、前記立体線状空隙構造体６に吸湿剤を包含した不織布８（例えば、富士シリア化学株式会社製造のＷＴマット　アクアドライポリマー）を巻いたり、挟み込んだりしたものを用いてもよいものである。
【００１９】
この発明の多通気性クッションを第２実施例の多通気性クッション９を図７から図８により説明すると、この第２実施例の多通気性クッション９は、多通気性表装布収容体１０と、その多通気性表装布収容体１０に収容される多通気性クッション材１１から構成される。
【００２０】
前記多通気性表装布収容体１０は、前記第１実施例の多通気性クッション３と同様に、通気性、透湿性のある通気性布４（例えば、株式会社テイジンのダブルラッセルＴＹ００１）で、筒状に縫製し、その開放した両側端面にネット状のネット状通気性布５を縫い込んで表装して構成している。
【００２１】
前記多通気性クッション材１１は、平板の後部上面を半楕円形に隆起する発泡弾性ウレタン１２を成形し、その周面を前後に化繊綿１３を巻回包皮してなるものである。前記化繊綿１３は、図示しないが天然綿でもよいものであるが、図６に示す適当な弾性を持つ前記立体線状空隙構造体６（例えば、特願２００１−１４５１１号を参照）や前記立体繊維７を組み合わせて用いれば更に良いものである。
【００２２】
以上から、この第２実施例の多通気性クッション９は、両側端面をネット状のネット状通気性布５により表装して開放しているから、豊富な通気性を確保できるものである。
【００２３】
このようにこの発明の多通気性クッションは、従来のものよりも寝たきり病人の褥瘡を起こす原因の一つである寝具内部にこもった湿気を早く取り除き、荷重分散性を高める為の工夫をした。
【００２４】
また、この発明の多通気性クッションは、車椅子、事務椅子、自動車、ベビーカー、ベビーベッド、ベッド、布団、座布団、マット、枕等に用いると良いものである。
【００２５】
【発明の効果】
以上、この発明の多通気性クッションは、前記多通気性クッションに座ったり、寝たり、立ち上がったり、再び座るような動きをするたびに中の湿気を含んだ空気を吐いたり、湿気の少ない外気を吸い込んだりしてまるで呼吸しているような状況をつくり、長時間使用しないときは、吸湿剤は時間と共に吸湿していた水分を自然放湿したりして快適な環境を特別な手間を掛けないで作り出すことができる。そして、荷重分散性の良い前記多通気性クッションは、褥瘡を和らげることができるものである。
【００２６】
よって、この発明は、適度な弾力性と、多通気性による爽快な当て心地と、褥瘡防止等の医療目的を達成する多通気性クッションを提供することができる。
【図面の簡単な説明】
【図１】この発明の多通気性クッションの第１実施例を示す外観斜視図である。
【図２】同じく、この発明の多通気性クッションの第１実施例の多通気性表装布収容体単体を示す縦断側面図である。
【図３】同じく、この発明の多通気性クッションの第１実施例の多通気性クッション材の一例を示す縦断側面図である。
【図４】同じく、第１実施例の内部構造を示す横断面図である。
【図５】同じく、第１実施例の一部拡大縦断面図である。
【図６】同じく、第１実施例の内部に内臓させる弾性材の一例として立体線状空隙構造体の斜視図である。
【図７】この発明の多通気性クッションの第２実施例を示す外観斜視図である。
【図８】同じく、第２実施例を示す縦断面斜視図である。
【符号の説明】
１　第１実施例の多通気性クッション
２　多通気性表装布収容体
３　多通気性クッション材
４　通気性布
５　ネット状通気性布
６　立体線状空隙構造体
７　立体繊維
８　吸湿剤を包含した不織布
９　第２実施例の多通気性クッション
１０　多通気性表装布収容体
１１　多通気性クッション材
１２　発泡弾性ウレタン
１３　化繊綿
【図１】
2004105314.tif 000003
【図２】
2004105314.tif 000004
【図３】
2004105314.tif 000005
【図４】
2004105314.tif 000006
【図５】
2004105314.tif 000007
【図６】
2004105314.tif 000008
【図７】
2004105314.tif 000009
【図８】
2004105314.tif 000010
【手続補正書】
【提出日】平成14年9月19日(2002.9.19)
【手続補正１】
【補正対象書類名】明細書
【補正対象項目名】００１０
【補正方法】変更
【補正の内容】
【００１０】
前記立体線状空隙構造体に吸湿剤を包含した不織布（例えば、富士シリシア化学株式会社製造のＷＴマット　アクアドライポリマー）を巻いたり、挟み込んだりしたものを用いたことを特徴とする。


【手続補正２】
【補正対象書類名】明細書
【補正対象項目名】００１３
【補正方法】変更
【補正の内容】
【００１３】
前記多通気性クッション材３は、図３に示すように、立体線状空隙構造体６や立体繊維７を用いて空隙を多くし、通気性を良くしてある。さらに、前記立体立体線状空隙構造体６に吸湿剤を包含した不織布８（例えば、富士シリシア化学株式会社製造のＷＴマット　アクアドライポリマー）を巻いたり、挟み込んだりして構成して用いてもよいものである。


【手続補正３】
【補正対象書類名】明細書
【補正対象項目名】００１８
【補正方法】変更
【補正の内容】
【００１８】
図４は、前記多通気性表装布収容体２を示した図であり、その側壁面にあたる部位には通気性を良くするためネット状のネット状通気性布５を縫い込んである。そのため従来のものに比べて通気性が大幅に改善されているものである。さらに、前記立体線状空隙構造体６に吸湿剤を包含した不織布８（例えば、富士シリシア化学株式会社製造のＷＴマット　アクアドライポリマー）を巻いたり、挟み込んだりしたものを用いてもよいものである。